(57)【要約】【課題】本考案は、きわめて簡単な構造であって運搬が容易で、使用者の体全体が均一に暖められる１人用のスチームバスを提供する。【解決手段】ウイスキー醸成用の樽を上下方向に二分割して一方を樽後半部とし、他方を樽前半部とし、該樽後半部と該樽前半部とは開閉自在に蝶着し、該樽後半部の中間部に水平に設置される座板と該座板の前面側から垂設される遮蔽板により形成される該座板下の蒸気溜り空間内に負圧誘導式蒸気分流吐出器を設置し、別体の蒸気発生装置から発生する蒸気を該負圧誘導式蒸気分流吐出器により吸引し付勢して、該遮蔽板の下部および該座板の背面側から、該樽前半部を閉じることにより形成される暖気空間内へ噴出させる構成とした。【選択図】図１
0003131045.tif 000002
【実用新案登録請求の範囲】
【請求項１】
中央部が膨らんだ円筒部と該円筒部の上端部および下端部に嵌合する円形の天板および底板からなるウイスキー醸成用の樽本体部が上下方向に二分割されかつ該天板を外された一方の樽後半部と、
同様に形成されかつ該天板を残された他方の樽前半部と、
該樽後半部の中間部に水平に設置される座板と該座板の前面側から垂設される遮蔽板により該座板下に形成される蒸気溜り空間と、
該蒸気溜り空間内に設置された負圧誘導式蒸気分流吐出器と、からなり、
前記樽後半部と前記樽前半部とは開閉自在に蝶着され、
前記樽本体部とは別体の蒸気発生装置から発生した蒸気は、前記負圧誘導式蒸気分流吐出器により吸引されるとともに付勢されて前記遮蔽板の下部および前記座板の背面側から、前記樽前半部を閉じられることにより形成される暖気空間内へ噴出する、ことを特徴とする負圧誘導式蒸気分流吐出器付き樽形スチームバス。
【請求項２】
前記負圧誘導式蒸気分流吐出器は、前記蒸気発生装置に連通し前記樽後半部の背面側から前記蒸気溜り空間内に略水平に突出する水平管と、
その中間部が該水平管の先端に斜交して連結し該蒸気溜り空間内の背面側上方から前面側下方に向けて設置される斜め管と、
平面形状が横方向に延びたＵ字状を呈しＵ字の中間部が該斜め管に山の字状に連結されるＵ字管と、
該斜め管と該水平管との斜交部よりも上部の該斜め管内に設置される送風ファンと、
該斜め管の上部を緩やかに覆う下面が開放された筐体状の覆いボックスと、からなり、
前記斜め管の前記送風ファン側は外管と内管とからなり該外管と該内管との間には前記Ｕ字管側に開放される斜め管内空間が形成されて前記水平管の該斜め管側の先端は該斜め管内空間に開口し、
前記Ｕ字管にはその中間部の前記斜め管の連結部に対面する位置に排気孔が穿設されかつ開放された両端部は前記蒸気溜り空間内の背面側上方に向けられ、
前記蒸気発生装置により発生した蒸気は、前記送風ファンにより前記水平管を介して前記斜め管内に吸引されるとともに付勢されて該Ｕ字管の排気孔および両端部から吐出され、前記遮蔽板の下部に貫設された遮蔽板下貫通孔および前記座板の背面側に貫設された座板背面貫通孔から前記暖気空間内へ噴出する、ことを特徴とする請求項１に記載の負圧誘導式蒸気分流吐出器付き樽形スチームバス。
【請求項３】
前記水平管、前記斜め管および前記Ｕ字管は相互に着脱自在である、ことを特徴とする請求項２に記載の負圧誘導式蒸気分流吐出器付き樽形スチームバス。
【請求項４】
前記座板および／または前記遮蔽板は前記樽後半部に対して着脱自在に取付けられている、ことを特徴とする請求項１ないし請求項３のいずれかに記載の負圧誘導式蒸気分流吐出器付き樽形スチームバス。
【請求項５】
前記Ｕ字管に穿設された排気孔の下方および／または前記底板下には露受け皿が設置される、ことを特徴とする請求項１ないし請求項４のいずれかに記載の負圧誘導式蒸気分流吐出器付き樽形スチームバス。
【請求項６】
前記座板上部の前記樽後半部の内周面、該樽後半部の上端縁および／または前記樽前半部の使用者の膝部に対面する内周面には断熱シートが貼着されている、ことを特徴とする請求項１ないし請求項５のいずれかに記載の負圧誘導式蒸気分流吐出器付き樽形スチームバス。
【請求項７】
前記樽後半部および前記樽前半部の底板裏面には複数個のキャスターが取付けられている、ことを特徴とする請求項１ないし請求項６のいずれかに記載の負圧誘導式蒸気分流吐出器付き樽形スチームバス。
【考案の詳細な説明】
【技術分野】
【０００１】
本考案は、湿式のサウナ風呂に関し、とくに１人用のスチームバスに関する。
【背景技術】
【０００２】
汗をかくことにより体の新陳代謝が良くなるという効能があるスチームバスは、いわゆるスーパー銭湯や健康ランド等の日帰り入浴施設に設置されているが、個人や家庭で手軽に使用することができるような小型のスチームバスが開発されている。
【０００３】
この小型のスチームバスの考案については、たとえば、登録実用新案第３０９３８０７号公報に開示された装置がある。
この装置は、「家庭室内でも容易に設置できる組立式のサウナ装置であり、小型、軽量、且つ移動が容易で、さらに容易に解体収納できるスチームサウナ装置を安価に提供すること」を課題としていて、この課題を解決するために装置の構成を、「床基板と、足車取付板と、前面パネル、後面パネル、左右の側面パネルの４枚のパネル板と、４本のアルミコーナ柱と、前面部上端アルミ枠及び後面部上端アルミ枠と、パネル端を保護する側面部水平端アルミ枠及び側面部傾斜端アルミ枠と、上部パネル板と、観音開きを形成する一組の傾斜部上端パネル板と、金属製水受水槽とから少なくともなる」こととしたものである。
【０００４】
また、小型のスチームバスの考案の他の例としては、登録実用新案第３１１０９７２号公報に開示された装置がある。
この装置は、「熱流が浴室内に満遍なく対流して、身体が全体的に均等な熱作用を受けることができるようにして、使用したときに快適であるようなサウナ装置の提供」を課題としていて、この課題を解決するために装置の構成を、「浴室を形成する本体内に、腰掛けるための座部が形成され、該座部またはその下側には、座部の下側空間から上昇する熱流を前方へ導出する導出部が形成され、該導出部の上方であって、上記座部に腰掛けた人体の大腿部と首部との間の位置に対応する高さには、上昇してくる熱流の一部の上昇を規制して人体側に向ける規制板が設けられたサウナ装置」としたものである。
【特許文献１】登録実用新案第３０９３８０７号公報
【特許文献２】登録実用新案第３１１０９７２号公報
【考案の開示】
【考案が解決しようとする課題】
【０００５】
しかしながら、登録実用新案第３０９３８０７号公報に開示の装置では、蒸気発生装置である加熱皿が装置内部に組み込まれていて、発生した蒸気の対流が偏るという課題がある。
一方、登録実用新案第３１１０９７２号公報に開示の装置では、「熱流が浴室内に満遍なく対流して、身体が全体的に均等な熱作用を受けることができて、使用したときに快適であるようなサウナ装置を得ることを課題」としてはいるものの、スチーム発生器を内部に設け、かつ、発生する蒸気熱流を単に側壁板や調節板、規制板でしか方向を変動させることができないため、吹き出された蒸気熱流が滞留しがちで、使用者の背中側等に蒸気熱流のデッドスペースが生じて、使用者の体が均一に暖められないという欠点がある。
【０００６】
そこで、本考案は、きわめて簡単な構造であって運搬が容易で、使用者の体全体が均一に暖められる１人用のスチームバスを提供することを目的とする。
【課題を解決するための手段】
【０００７】
上記課題を解決するために、本願請求項１に係る負圧誘導式蒸気分流吐出器付き樽形スチームバスは、中央部が膨らんだ円筒部と該円筒部の上端部および下端部に嵌合する円形の天板および底板からなるウイスキー醸成用の樽本体部が上下方向に二分割されかつ該天板を外された一方の樽後半部と、同様に形成されかつ該天板を残された他方の樽前半部と、該樽後半部の中間部に水平に設置される座板と該座板の前面側から垂設される遮蔽板により該座板下に形成される蒸気溜り空間と、該蒸気溜り空間内に設置された負圧誘導式蒸気分流吐出器と、からなり、前記樽後半部と前記樽前半部とは開閉自在に蝶着され、前記樽本体部とは別体の蒸気発生装置から発生した蒸気は、前記負圧誘導式蒸気分流吐出器により吸引されるとともに付勢されて前記遮蔽板の下部および前記座板の背面側から、前記樽前半部を閉じられることにより形成される暖気空間内へ噴出する、ことを特徴としている。
なお、座板の前面側とは、使用者が座板に座ったときの膝側をいい、座板の背面側とは、使用者が座板に座ったときの背中側をいう。
【０００８】
また、本願請求項２に係る負圧誘導式蒸気分流吐出器付き樽形スチームバスは、請求項１に記載の負圧誘導式蒸気分流吐出器付き樽形スチームバスであって、前記負圧誘導式蒸気分流吐出器は、前記蒸気発生装置に連通し前記樽後半部の背面側から前記蒸気溜り空間内に略水平に突出する水平管と、その中間部が該水平管の先端に斜交して連結し該蒸気溜り空間内の背面側上方から前面側下方に向けて設置される斜め管と、平面形状が横方向に延びたＵ字状を呈しＵ字の中間部が該斜め管に山の字状に連結されるＵ字管と、該斜め管と該水平管との斜交部よりも上部の該斜め管内に設置される送風ファンと、該斜め管の上部を緩やかに覆う下面が開放された筐体状の覆いボックスと、からなり、前記斜め管の前記送風ファン側は外管と内管とからなり該外管と該内管との間には前記Ｕ字管側に開放される斜め管内空間が形成されて前記水平管の該斜め管側の先端は該斜め管内空間に開口し、前記Ｕ字管にはその中間部の前記斜め管の連結部に対面する位置に排気孔が穿設されかつ開放された両端部は前記蒸気溜り空間内の背面側上方に向けられ、前記蒸気発生装置により発生した蒸気は、前記送風ファンにより前記水平管を介して前記斜め管内に吸引されるとともに付勢されて該Ｕ字管の排気孔および両端部から吐出され、前記遮蔽板の下部に貫設された遮蔽板下貫通孔および前記座板の背面側に貫設された座板背面貫通孔から前記暖気空間内へ噴出する、ことを特徴としている。
【０００９】
そして、本願請求項３に係る負圧誘導式蒸気分流吐出器付き樽形スチームバスは、請求項２に記載の負圧誘導式蒸気分流吐出器付き樽形スチームバスであって、前記水平管、前記斜め管および前記Ｕ字管は相互に着脱自在である、ことを特徴としている。
【００１０】
さらに、本願請求項４に係る負圧誘導式蒸気分流吐出器付き樽形スチームバスは、請求項１ないし請求項３のいずれかに記載の負圧誘導式蒸気分流吐出器付き樽形スチームバスであって、前記座板および／または前記遮蔽板は前記樽後半部に対して着脱自在に取付けられている、ことを特徴としている。
【００１１】
また、本願請求項５に係る負圧誘導式蒸気分流吐出器付き樽形スチームバスは、請求項１ないし請求項４のいずれかに記載の負圧誘導式蒸気分流吐出器付き樽形スチームバスであって、前記Ｕ字管に穿設された排気孔の下方および／または前記底板下には露受け皿が設置される、ことを特徴としている。
【００１２】
そして、本願請求項６に係る負圧誘導式蒸気分流吐出器付き樽形スチームバスは、請求項１ないし請求項５のいずれかに記載の負圧誘導式蒸気分流吐出器付き樽形スチームバスであって、前記座板上部の前記樽後半部の内周面、該樽後半部の上端縁および／または前記樽前半部の使用者の膝部に対面する内周面には断熱シートが貼着されている、ことを特徴としている。
【００１３】
さらに、願請求項７に係る負圧誘導式蒸気分流吐出器付き樽形スチームバスは、請求項１ないし請求項６のいずれかに記載の負圧誘導式蒸気分流吐出器付き樽形スチームバスであって、前記樽後半部および前記樽前半部の底板裏面には複数個のキャスターが取付けられている、ことを特徴としている。
【考案の効果】
【００１４】
本願考案は上記の構成により、以下の効果を奏する。
（１）本願考案に係る負圧誘導式蒸気分流吐出器付き樽形スチームバスは、樽本体部と、樽本体部の蒸気溜り空間に収納される負圧誘導式蒸気分流吐出器とから構成され、さらに、負圧誘導式蒸気分流吐出器は、既製の管を組み立てた水平管、斜め管およびＵ字管と、送風ファンと、覆いボックスと、から構成されている。したがって、負圧誘導式蒸気分流吐出器自体の構成はきわめて簡単なものであり、負圧誘導式蒸気分流吐出器に収納される送風ファンも構造が簡単な既製の機器を使用することにより、故障が少なくメンテナンスが容易になるとともに、樽本体部自体の重量も軽く、かつ、底板の裏面にキャスターを取り付けることにより負圧誘導式蒸気分流吐出器付き樽形スチームバスの移動がきわめて容易となる。また、樽本体部の外に設置される蒸気発生装置もまた、既製の装置を使用することにより、メンテナンスが容易であるばかりでなく、当該負圧誘導式蒸気分流吐出器付き樽形スチームバスに最適の装置を選択することができる。
（２）蒸気発生装置で発生した蒸気は、負圧誘導式蒸気分流吐出器により吸引され付勢されて、遮蔽板下空隙および座板背面空隙から暖気空間へ噴出するので、使用者の体全体を満遍なく均一に暖めることができる。さらに、座板上部の樽後半部の内周面、樽後半部の上端縁および／または樽前半部の使用者の膝部に対面する内周面には断熱シートが貼着されているので、使用開始時の負圧誘導式蒸気分流吐出器付き樽形スチームバスに体が触れても、冷えた樽本体部の冷たさが使用者には伝わらず、快適な暖房環境が提供される。
（３）そして、負圧誘導式蒸気分流吐出器を構成する覆いボックスにより、送風ファンにより強制的に吸引される空気とＵ字管の両端部から吐出される蒸気とは短絡することがなく、Ｕ字管の両端部から吐出される蒸気は有効に使用者の体の周りを対流して、スチーム効果を高めることとなる。
【考案を実施するための最良の形態】
【００１５】
本願考案を実施するための最良の形態に係る実施例について、図１ないし図５に基づいて説明する。なお、図１は、実施例に係る負圧誘導式蒸気分流吐出器付き樽形スチームバスの全体図であり、図２は、実施例に係る負圧誘導式蒸気分流吐出器付き樽形スチームバスの断面図であり、図３は、実施例に係る負圧誘導式蒸気分流吐出器付き樽形スチームバスの樽本体部を開放し座板下の遮蔽板を外した状態の斜視図であり、図４は、実施例に係る負圧誘導式蒸気分流吐出器の分解組立て図であり、図５は、実施例に係る負圧誘導式蒸気分流吐出器を構成する斜め管の上部断面詳細図である。
【００１６】
図１ないし図５において、符号１は実施例に係る負圧誘導式蒸気分流吐出器付き樽形スチームバス、符号１０は樽本体部、符号１１は樽後半部、符号１３は樽前半部、符号１５は底板、符号１５１は樽後半部底板、符号１５３は樽前半部底板、符号１７は天板、符号１９は座板、符号２１は遮蔽板、符号２３は座板背面貫通孔、符号２５は遮蔽板下貫通孔、符号２７は断熱シート、符号２７１は座板部断熱シート、符号２７３は樽縁部断熱シート、符号２７５は樽前半部断熱シート、符号２９はキャスター、符号３０は負圧誘導式蒸気分流吐出器、符号３１は水平管、符号３１１は曲管、符号３１３は直管、符号３３は斜め管、符号３３１は異径管、符号３３３は内管、符号３３５は分岐管（外管）、符号３３７は斜め管内空間、符号３５はＵ字管、符号３５１はＴ字管、符号３５３は直管、符号３５５は曲管、符号３７は排気孔、符号３９は覆いボックス、符号４１は送風ファン、符号４３は露受け皿、符号４５はスノコ、符号５１は蒸気発生装置、符号５３は蒸気供給管、符号５５は防湿ケープ、である。
【００１７】
実施例に係る負圧誘導式蒸気分流吐出器付き樽形スチームバス１は、主に、樽後半部１１および樽前半部１３からなる樽本体部１０と、樽後半部１１の略中間部に水平に設置される座板１９と、座板の前面側から垂設される遮蔽板２１と、座板１９および遮蔽板２１により形成される「蒸気溜り空間」内に収納される負圧誘導式蒸気分流吐出器３０と、から構成されていて、この負圧誘導式蒸気分流吐出器付き樽形スチームバス１に蒸気発生装置５１、蒸気供給管５３および防湿ケープ５５が付設されている。
【００１８】
樽本体部１０は、中央部が膨らんだ円筒部と該円筒部の上端部および下端部に嵌合する円形の天板および底板からなるウイスキー醸成用の樽を上下方向に二分割して形成される樽後半部１１と樽前半部１３とから構成されていて、樽後半部１１および樽前半部１３は、互いに開閉自在に蝶着されている。なお、このウイスキー醸成用の樽の円筒部の最大径は略７１５ｍｍ、高さは略８５０ｍｍ、円形の天板および底板の直径は略５８０ｍｍである。
【００１９】
樽後半部１１は、半分に分割された樽後半部ウイスキー醸成用の樽の円筒部と、ウイスキー醸成用の樽の底板１５の半分に分割された後半部底板１５１と、座板１９と、遮蔽板２１と、底板１５の上部の樽後半部１１の内周面に貼着された座板部断熱シート２７１と、樽後半部１１の上端縁に貼着された樽縁部断熱シート２７３と、後半部底板１５１の裏面に取着された複数個のキャスター２９と、から構成されていて、座板１９および遮蔽板２１は、樽後半部１１に対して着脱自在となるように構成されている。
【００２０】
この座板１９は、樽後半部１１の内周面に嵌合するように平面が半円形を呈しているが、座板１９の樽前半部１３とは反対側の背面部は直線的にカットされていて、座板１９を樽後半部１１に嵌着したときには、樽後半部１１の内周面と座板１９の背面部には隙間である座板背面貫通孔２３が形成される。また、遮蔽板２１は座板１９の下部を覆い隠すように形成されていて、遮蔽板２１の下端中央部には半円形の遮蔽板下貫通孔２５が穿設されている。そして、遮蔽板２１を座板１９の下部に嵌着したときには、座板１９および遮蔽板２１により形成される「蒸気溜り空間」は、この座板背面貫通孔２３および遮蔽板下貫通孔２５を介して外部に連通するようになっている。
【００２１】
「蒸気溜り空間」内には、負圧誘導式蒸気分流吐出器３０が収納されているが、この負圧誘導式蒸気分流吐出器３０の構成について、主に、図４および図５を基に説明する。
負圧誘導式蒸気分流吐出器３０は、水平管３１と、斜め管３３と、Ｕ字管３５と、覆いボックス３９と、送風ファン４１と、から構成されていて、水平管３１、斜め管３３およびＵ字管３５はいずれも上下水道用配管として一般的に使用される硬質塩化ビニール管で組み立てられている。
【００２２】
水平管３１は、略５０ｍｍφの直管３１３と、この直管の一端に嵌着される曲管３１１と、から構成され、曲管３１１の他端は蒸気供給管５３を介して蒸気発生器５１に連接している。一方、斜め管３３は拡大径（略６０ｍｍφ）の円筒部と縮小径（略５０ｍｍφ）の円筒部を有する異径管３３１と、主管と主管から分岐する枝管がＹ字状に形成される分岐管３３５と、内管３３３とから構成されている。そして、異径管３３１と分岐管３３５の主管の一端が直接連結していて、内管３３３が分岐管３３５の主管内に挿入されて異径管３３１の縮小径の円筒部に嵌合している。さらに、外管である分岐管３３５の主管と内管３３３の間には異径管３３１の反対側に開放される斜め管内空間３３７が形成されている。
【００２３】
一方、分岐管３３５の枝管の先端は水平管３１の直管３１３の他端に嵌着されていて、分岐管３３５の主管の他端はＴ字管３５１に嵌着されている。そして、Ｔ字管３５１の二股に分かれた両端部には、それぞれ７５ｍｍφの直管３５３を介して曲管３５５が連接されていて、Ｔ字管３５１、直管３５３および曲管３５５によりＵ字管３５が構成されている。さらに、斜め管３３を構成する異径管３３１の拡大径の円筒部内には、送風ファン４１が格納されている。
なお、水平管３１、斜め管３３およびＵ字管３５は相互に組み立て解体が容易なように着脱自在としても良く、あるいは、糊着することにより負圧誘導式蒸気分流吐出器３０を一体のものとしても良い。
【００２４】
水平管３１を構成する直管３１３は、樽後半部１１の背面側に穿設された貫通孔を貫通し、その先端は「蒸気溜り空間」内に突出する。そして、水平管３１の先端に嵌着された斜め管３３を構成する分岐３３５管により、水平管３１と斜め管３３とは略４５°の角度で斜交する。このため、水平管３１を水平に設置した場合には、斜め管３３は「蒸気溜り空間」内の背面側上方から前面側下方に向けて略４５°の角度をもって設置され、送風ファン４１は「蒸気溜り空間」内の背面側上方に位置することになる。
【００２５】
斜め管３３の下端に嵌着されているＵ字管３５は、曲管３５５の開口する方向を斜め管３３の方向と略同一になるように設置されている。そして、Ｕ字管３５の中心部の斜め管３３と対面する位置には、排気孔３７が穿設されている。このＵ字管３５の直管３５３は、座板１９の裏面から吊り下げ帯により吊り下げられていて、水平管３１の直管３１３が貫通する貫通孔とＵ字管３５を吊り下げる吊り下げ帯により、負圧誘導式蒸気分流吐出器３０は「蒸気溜り空間」内に確固に固定される。
【００２６】
そして、斜め管３３の異径管３３１の上方には、覆いボックス３９が設置されている。この覆いボックス３９は、下面が開放された直方体であって、座板１９の裏面に固着されている。覆いボックス３９の背面側は水平管３１の直管３１３が嵌合するように略半円形にカットされていて、座板１９を樽後半部１１の所定の位置に設置したときには、水平管３１と斜め管３３の上部が覆いボックス３９に緩やかに覆われて下方にのみ開放された空間が形成される。
【００２７】
さらに、樽後半部１１の座板より上部、かつ、背面側の内周面には座板部断熱シート２７１が貼着され、座板部断熱シート２７１の上部の樽後半部１１の上端縁には上端縁を包むように樽縁部断熱シート２７３が貼着されている。
【００２８】
ところで、樽前半部１３は、樽後半部１１と同様に、半分に分割されたウイスキー醸成用の樽の円筒部と、ウイスキー醸成用の樽の底板１５の半分に分割された前半部底板１５３と、ウイスキー醸成用の樽の天板の半分に分割された天板１７と、使用者の膝の高さに合わせて樽前半部１３の内周面に貼着された前半部断熱シート２７５と、前半部底板１５３の裏面に取着された複数個のキャスター２９と、から構成されている。
【００２９】
そして、樽前半部１３は樽後半部１１に対して開閉自在に蝶着されていて、樽前半部１３を閉じることにより、樽後半部１１と樽前半部１３が一体となった樽本体部１０は、外観がウイスキー醸成用の樽そのものになって、樽後半部１１内の座板１９上部と樽前半部１３内部とにより、「暖気空間」が形成される。そして、後半部底板１５１と前半部底板１５３の裏面に取着された複数個のキャスター２９により、樽前半部１３の開閉がきわめて容易であるばかりでなく、樽本体部１０の水平移動もまた、一人できわめて容易にできる。
【００３０】
送風ファン４１には、山洋電機株式会社製の型番が「９ＷＰ０６１２Ｈ４０２」の防水型ファンを使用している。この防水型ファンは、定格電流１２Ｖ、使用電圧範囲１０．２〜１３．８Ｖ、定格電流０．１１Ａ、定格入力１．３２Ｗ、定格回転速度３，８００ｍｉｎ−１、最大風量０．５３ｍ３／ｍｉｎ、質量１１０ｇ、となっていて、その大きさは６０ｍｍ（幅）×６０ｍｍ（奥行）×２５ｍｍ（高さ）であり、斜め管３３の先端部に位置する異径管３３１内に収納され、蒸気発生装置５１から吸引された蒸気を強制的に撹拌および循環させ、使用者の身体廻りに満遍なく充満させる。
【００３１】
そして、蒸気発生装置５１には、ツインバード工業株式会社製の型番が「ＥＰ−Ｄ６９２ＳＩ」の電気フライヤーを使用している。この電気フライヤーは、定格消費電力８００Ｗ、温度調節１５０〜１９０℃、質量３，８００ｇ、となっていて、その大きさは２００ｍｍ（幅）×３４５ｍｍ（奥行）×２２０ｍｍ（厚さ）であり、樽本体部１０とは離間した位置に設置される。なお、蒸気のもととなる水の収容量は１．０Ｌとなっている。
【００３２】
ここで、蒸気発生装置５１により発生させた蒸気の流れについて説明する。
送風ファン４１を稼動させると、斜め管３３内には内管３３３に誘導された下方向に向かう空気の流れが生じ、この空気の流れにより斜め管内空間３３７内は負圧となり、斜め管内空間３３７に連通する水平管３１内もまた負圧となって、蒸気発生装置５１により発生させた蒸気が蒸気供給管５３および水平管３１を介して斜め管３３内に吸引される。
【００３３】
斜め管３３内に吸引された蒸気は、送風ファン４１により強制的に付勢されて、Ｕ字管３５に流入し、Ｕ字管３５に穿設された排気孔３７とＵ字管３５の両端部から「蒸気溜り空間」内に吐出される。
排気孔３７から吐出された蒸気は、遮蔽板２１の下端中央部に穿設された半円形の遮蔽板下貫通孔２５から、「蒸気溜り空間」外、すなわち、樽前半部１３を閉じたときに形成される「暖気空間」内に吹き出し、Ｕ字管３５の両端部から吐出された蒸気は、樽後半部１１の内周面と座板１９の背面部により形成された座板背面貫通孔２３から、「暖気空間」内に吹き出して、「暖気空間」を暖める。
【００３４】
送風ファン４１が稼動すると、斜め管３３の上部から「蒸気溜り空間」内の空気を吸引することになるが、斜め管３３の上方に設置された覆いボックス３９により、送風ファン４１は、主に、斜め管３３に沿って「蒸気溜り空間」内の空気を吸引することになる。このため、Ｕ字管３５の両端部から吐出された蒸気が、そのまま送風ファン４１に強制的に吸引される、という蒸気の流れの短絡回路の形成が阻害され、結果的に、蒸気は使用者の身体廻りに行き渡ることになる。
【００３５】
なお、「蒸気溜り空間」内の蒸気の一部は、冷やされて水滴となり、主に、Ｕ字管３５の下部の突出した部分から滴り落ちる。このため、図２に示すように、樽本体部１０を露受け皿４３の上に設置しても良く、あるいは、小さ目の露受け皿４３をＵ字管３５の下部の後半部底板１５１上に設置しても良い。このように、露受け皿４３を設置することにより、樽本体部１０が湿気により腐食することを防ぐことができる。
【００３６】
つぎに、負圧誘導式蒸気分流吐出器付き樽形スチームバス１の使用手順の例について、以下に説明する。
（１）まず、蒸気発生装置５１の蒸発皿に水を満たして、スイッチを入れ、蒸気を発生させる。
（２）蒸気の発生と同時に、送風ファン４１のスイッチを入れる。送風ファン４１のスイッチを入れることにより、蒸気発生装置５１から負圧誘導式蒸気分流吐出器３０へ蒸気が吸引され、排気孔３７とＵ字管３５の両端部から「蒸気溜り空間」内に吐出し、さらに、遮蔽板下貫通孔２５および座板背面貫通孔２３から「暖気空間」内に噴出する。
（３）蒸気が「暖気空間」内に噴出することにより、負圧誘導式蒸気分流吐出器付き樽形スチームバス１の使用が可能になる。使用者は樽前半部１３を開いて座板１９に腰掛け、その後、樽前半部１３を閉じ、さらに、樽本体部１０の上部から露出する使用者の胸から上の部分を防湿ケーブ５５で覆う。
（４）負圧誘導式蒸気分流吐出器付き樽形スチームバス１内では、腰掛けた座板１９の背中側および両脚の間から、防湿ケーブ５５で覆うことにより閉空間となった「暖気空間」内に蒸気が噴出し、使用者の下半身および首から下の上半身を満遍なく蒸気が対流して、使用者の体を効率よく均一に暖め、新陳代謝を良くする。
（５）なお、使用に際しては、前半部底板１５３上にスノコ４５を置くことにより、使用者の足が湿った前半部底板１５３に触れることがなく足先から指先まで均一に暖まる。また、座板部断熱シート２７１、樽縁部断熱シート２７３および前半部断熱シート２７５により、たとえ、樽本体部１０に使用者の体が触れても、不快な思いをすることがない。
【００３７】
使用後の負圧誘導式蒸気分流吐出器付き樽形スチームバス１のメンテナンスは、負圧誘導式蒸気分流吐出器付き樽形スチームバス１の構造自体がきわめて簡単なものであるので、ほとんど不要であるが、座板１９および遮蔽板２１が取り外し可能であり、負圧誘導式蒸気分流吐出器３０を着脱自在の組み立て式とすることにより、負圧誘導式蒸気分流吐出器付き樽形スチームバス１のメンテナンスはきわめて容易となる。
【図面の簡単な説明】
【００３８】
【図１】図１は、実施例に係る負圧誘導式蒸気分流吐出器付き樽形スチームバスの全体図である。
【図２】図２は、実施例に係る負圧誘導式蒸気分流吐出器付き樽形スチームバスの断面図である。
【図３】図３は、実施例に係る負圧誘導式蒸気分流吐出器付き樽形スチームバスの樽本体部を開放し座板下の遮蔽板を外した状態の斜視図である。
【図４】図４は、実施例に係る負圧誘導式蒸気分流吐出器の分解組立て図である。
【図５】図５は、実施例に係る負圧誘導式蒸気分流吐出器を構成する斜め管の上部断面詳細図である。
【符号の説明】
【００３９】
１  実施例に係る負圧誘導式蒸気分流吐出器付き樽形スチームバス
１０  樽本体部
１１  樽後半部
１３  樽前半部
１５  底板
１７  天板
１９  座板
２１  遮蔽板
２３  座板背面貫通孔
２５  遮蔽板下貫通孔
２７  断熱シート
２９  キャスター
３０  負圧誘導式蒸気分流吐出器
３１  水平管
３３  斜め管
３３３  内管
３３５  分岐管（外管）
３５  Ｕ字管
３７  排気孔
３９  覆いボックス
４１  送風ファン
４３  露受け皿
５１  蒸気発生器
【図１】
0003131045.tif 000003
【図２】
0003131045.tif 000004
【図３】
0003131045.tif 000005
【図４】
0003131045.tif 000006
【図５】
0003131045.tif 000007